(57)【要約】【課題】  摺切板に絡み付いた塊片状物を供給を中断することなく確実に排除しながら供給する。【解決手段】  円筒状のケーシング３の上面にホッパー１の排出口１ａと連通する取込口３ａを開口し、ケーシング３の下面に吐出口３ｂを開口し、ケーシング３の底部に取込口３ａから取り込まれた供給物を所定量収容して吐出口３ｂまでケーシング３内を回送させる撹拌羽根６を備えた供給盤４を回転自在に取り付け、ケーシング３内の吐出口３ｂ上方に回送された供給物を摺り切る摺切板５を取り付けた供給機１において、前記撹拌羽根６を摺切板５の直下を通過するように供給盤４に取り付け、同摺切板５と撹拌羽根６との交差により摺切板５に絡み付く供給物を排除しながら供給できるようにした。【選択図】図２
2005263377.tif 000002
【特許請求の範囲】
【請求項１】
円筒状のケーシングの上面にホッパーの排出口と連通する取込口を開口し、ケーシングの下面に吐出口を開口し、ケーシングの底部に取込口から取り込まれた供給物を所定量収容して吐出口までケーシング内を回送させる撹拌羽根を備えた供給盤を回転自在に取り付け、ケーシング内の吐出口上方に回送された供給物を摺り切る摺切板を取り付けた定量供給機において、前記撹拌羽根を摺切板の直下を通過するように供給盤に取り付け、同摺切板と撹拌羽根との交差により供給物が摺切板に絡み付かないようにしたことを特徴とする絡みやすい物質の供給機。
【発明の詳細な説明】
【技術分野】
【０００１】
本発明は、ホッパーから排出された廃紙，廃プラスチック等の供給物を絡み付かないようにしながら供給する供給機に関する。
【背景技術】
【０００２】
従来、ホッパーから排出された供給物を絡み付かないようにしながら供給する供給機が特許文献１に開示されている。この技術は、摺切板への絡み付きによる負荷トルクの上昇を供給盤のモータ電流値から検知し、負荷トルクが一定値以上になると供給盤を自動的に逆転又は定時間間隔で正逆転させることで、絡み付いた塊片状物を摺切板から離脱させて過負荷を防止できるようにしたことを特徴としている。
【０００３】
ところで、前記技術では供給盤の逆転時に供給が一時的に中断する現象が生じ、供給物の種類や特性によっては逆転の頻度が増加し、供給の能率が悪化するなど用途が限定される問題があった。
【０００４】
一方、供給物の絡み付き防止技術は特許文献２でも開示されている。この技術は、摺切板の直下に突起を外周に備えた円筒体を回転自在に取り付け、摺切板に絡み付いた供給物を円筒体の回転で突起により払い落とすようにしたことを特徴としている。
【０００５】
しかしながら、前記技術では供給物中に５ｃｍ以上の紐状物が少量でも混入していると円筒体に巻き付き、一旦巻き付くと逆転させても外れ難いから徐々に巻き付き量が増加して突起が隠れてしまい、払い落とし機能が失われて供給を妨げるばかりか過負荷を助長して装置の破損を招き、また装置が高コストとなる等の問題があった。
【特許文献１】特開２００１−２９４３２８号公報
【特許文献２】特開２００３−１８２８５６号公報
【発明の開示】
【発明が解決しようとする課題】
【０００６】
本発明が解決しようとする課題は、従来のこれらの問題点を解消し、摺切板に絡み付こうとする供給物を供給を中断することなく確実に排除しながら供給できるようにした低コストの絡みやすい物質の供給機を提供することにある。
【課題を解決するための手段】
【０００７】
かかる課題を解決した本発明の構成は、
１）  円筒状のケーシングの上面にホッパーの排出口と連通する取込口を開口し、ケーシングの下面に吐出口を開口し、ケーシングの底部に取込口から取り込まれた供給物を所定量収容して吐出口までケーシング内を回送させる撹拌羽根を備えた供給盤を回転自在に取り付け、ケーシング内の吐出口上方に回送された供給物を摺り切る摺切板を取り付けた定量供給機において、前記撹拌羽根を摺切板の直下を通過するように供給盤に取り付け、同摺切板と撹拌羽根との交差により供給物が摺切板に絡み付かないようにしたことを特徴とする絡みやすい物質の供給機
にある。
【発明の効果】
【０００８】
本発明によれば、摺切板と周回する撹拌羽根との交差により摺切板に絡み付いた供給物が低抵抗で剥落され、逆転等供給を中断することなく円滑に効率良く供給できるようになる。また、従来のように円筒体等の払い落とし装置を別途設置する必要がないから、シンプルで低コストの装置となる。
【発明を実施するための最良の形態】
【０００９】
本発明の摺切板とその直下を通過する撹拌羽根との間隔は１０〜３０ｍｍの範囲が実用的であるが、供給物の粒径に応じて決定される。以下、本発明の実施例を図面に基づいて具体的に説明する。
【実施例１】
【００１０】
図１は実施例の供給機の平面図、図２は実施例の供給機の縦断面図、図３は実施例の絡み付いた塊片状物の排除を示す説明図である。図中、１はホッパー、１ａは排出口、２は供給機、３はケーシング、３ａは取込口、３ｂは吐出口、３ｃは回送空間、３ｄは点検口、４は供給盤、４ａは羽根、４ｂはコーン、５は摺切板、６は撹拌羽根、７はモータ、１０は供給物、１０ａは塊片状物である。
【００１１】
本実施例の供給機２は、図１，２に示すようにケーシング３は全体が円筒状で上面にホッパー１の排出口１ａと同径の取込口３ａと下面外周部に吐出口３ｂを開口し、同ケーシング３の内部底面を円筒状に隆起させて底板３ｅを形成し、リング４ｃの外周にＶ字状の羽根４ａを８体突設するとともに上面にコーン４ｂを取り付けた供給盤４を前記底板３ｅを覆うように回転自在に取り付け、ケーシング３の内側面及び底面とで供給物１０の回送空間３ｃを形成している。
【００１２】
ケーシング３の吐出口３ｂ上方の内側壁には回送空間３ｃの平面形状に合わせた円弧状の摺切板５を水平に取り付け、供給盤４のリング４ｃの上面にＶ字状の撹拌羽根６を前記摺切板５の下面から１０ｍｍの間隔をおいた高さに４体突設している。
【００１３】
本実施例では、ホッパー１の排出口１ａから排出された供給物１０を撹拌羽根６で撹拌してブリッジを防止しながらコーン４ｂでケーシング３内の回送空間３ｃに案内し、同回送空間３ｃに収容された供給物１０を羽根４ａでケーシング３内を吐出口３ｂまで回送し、摺切板５で所定量に摺切して吐出口３ｂから下方外部へ供給する。
【００１４】
ここで、供給物１０が例えば廃紙，廃プラスチック，バイオマス類等の結束性が高い場合、図３（ａ）に示すように摺切板５の板端に供給物１０の塊片状物１０ａが絡み付いて安定した供給が行えなくなることがある。
【００１５】
しかし、本実施例では撹拌羽根６を摺切板５の直下を通過する高さに設けているから、図３（ｂ）に示すように撹拌羽根６が絡み付いた塊片状物１０ａを下方に引き落としながら摺切板５の板端から離脱させて回送する供給物１０の流れとともに吐出口３ｂへ落下させる。
【００１６】
従って、摺切板５に絡み付く塊片状物１０ａの上方の供給物１０が供給盤４の回転方向に引張られることがないから、撹拌羽根６が塊片状物１０ａを低抵抗で容易に下方へ引き落とされ、シンプルな構造ながら供給物１０の絡み付きを負荷なく確実に防止して安定的に供給できるようになった。
【００１７】
図４に示すのは、実施例の供給機の他の例である。図４は実施例の他の例の供給機の縦断面図である。図中、８はスポートである。実施例の他の例の供給機２は、図４に示すようにケーシング３内の供給盤４上方にリング４ｃと略同径の筒状のスポート８を昇降自在に取り付けている。
【００１８】
供給機２の取込口３ａが供給盤４のリング４ｃと略同径の場合、撹拌羽根６を摺切板５の下側のみ通過させると摺切板５の上側はデッドストックとなり、供給物１０の物性や形状及びホッパー１の大きさによってはデッド部を起点としてホッパー１内でブリッジが発生することがある。
【００１９】
しかし、実施例の他の例では供給盤４のリング４ｃに相当する径のスポート８を設けることにより、デッド部とホッパー１内の供給物１０をスポート８の昇降で遮断してブリッジを完全に防止して安定した供給が可能となる。その他、符号、構成は実施例と同じである。
【産業上の利用可能性】
【００２０】
本発明の供給機は、廃紙，廃プラスチック，バイオマス類の供給に好ましく利用できる。
【図面の簡単な説明】
【００２１】
【図１】実施例の供給機の平面図である。
【図２】実施例の供給機の縦断面図である。
【図３】実施例の絡み付いた塊片状物の排除を示す説明図である。
【図４】実施例の他の例の供給機の縦断面図である。
【符号の説明】
【００２２】
１  ホッパー
１ａ  排出口
２  供給機
３  ケーシング
３ａ  取込口
３ｂ  吐出口
３ｃ  回送空間
３ｄ  点検口
３ｅ  底板
４  供給盤
４ａ  羽根
４ｂ  コーン
４ｃ  リング
５  摺切板
６  撹拌羽根
７  モータ
８  スポート
１０  供給物
１０ａ  塊片状物
【図１】
2005263377.tif 000003
【図２】
2005263377.tif 000004
【図３】
2005263377.tif 000005
【図４】
2005263377.tif 000006